(57)【要約】【課題】  従来のフラッシュ式蓄光器や懐中電灯、ヘッドランプによる照射では蓄光性釣糸への蓄光を均一に行うことができなかった。【解決手段】  蓄光剤を励起しやすい波長を含む単一の光源と、蓄光釣糸を貫通する中空部と、前記光源と前記中空部とを収納する発光部ケースと、前記中空部の貫通空間の全周略均等に前記光源からの光を照射する反射鏡とを備える、もしくは複数の光源を備えることで、充分な光量で均一に蓄光性釣糸への蓄光を行うことができるので、実用的な糸用蓄光器を提供できる。【選択図】図１
2006094820.tif 000002
【特許請求の範囲】
【請求項１】
蓄光剤を励起しやすい波長を含む単一の光源と、蓄光釣糸が貫通する中空部と、前記光源と前記中空部とを収納する発光部と、前記中空部の貫通空間の全周略均等に前記光源からの光を照射する反射鏡とを備えたことを特徴とする糸用蓄光器。
【請求項２】
蓄光剤を励起しやすい波長を含む複数の光源と、蓄光釣糸が貫通する中空部と、前記光源と前記中空部とを収納する発光部とを備え、前記複数の光源は前記中空部の貫通空間の全周略均等に光が照射されるように配置されることを特徴とする糸用蓄光器。
【請求項３】
発光部内における光源を紫外線領域の波長成分を多く含んだ発光ダイオード、キセノンランプ、ハロゲンランプ、蛍光管とした請求項１または２に記載の糸用蓄光器。
【請求項４】
貫通空間に透明性を有するパイプ部材を配し、前記パイプ部材の両端面は発光部の両側の開口部と接合された請求項１または２に記載の糸用蓄光器。
【請求項５】
貫通空間に配したパイプ部材の形状は、光源による光照射部分を最も狭くし、両端を広くした請求項４記載の糸用蓄光器。
【請求項６】
発光部には中空部の両側の開口部を結ぶ貫通軸に沿って釣糸の通る隙間を設け、前記隙間を開閉する機構を備えた請求項１または２に記載の糸用蓄光器。
【請求項７】
光源に電力を供給する電源は、発光部とは別の電源ケース内に収納され、コードを介して前記発行部内の光源に電力を供給する請求項１または２に記載の糸用蓄光器。
【請求項８】
発光部内に電源を収納し、前記発光部内の光源に電力を供給する請求項１または２に記載の糸用蓄光器。
【請求項９】
発光部には、釣竿の軸と前記貫通軸を平行に固定し、かつ前記釣竿の軸と貫通軸間の距離を調節する取付部を備えた請求項１または２に記載の糸用蓄光器。
【発明の詳細な説明】
【技術分野】
【０００１】
本発明は、主に魚釣りに使用する蓄光性釣糸に蓄光させる糸用蓄光器に関するものである。
【背景技術】
【０００２】
魚釣り用の釣糸は、ポリアミドやフロロカーボンなどの合成樹脂モノフィラメントにより主に製造されているが、近年、各釣糸メーカーにおいてはこれらのモノフィラメントに蓄光剤を付加し、夜釣りにおいて発光する性能を持つ蓄光性釣糸の研究が盛んに行なわれており、蓄光性釣糸の製造法に関する文献も数点公開されている。例えば、特許文献１で示すような釣り糸が実用化されつつある。
【０００３】
これらの糸はその性能を発揮するため、外部からの光照射により糸に含まれる蓄光剤を励起する必要がある。従来より、疑似餌・ゴム管・蓄光玉などの蓄光釣具を励起するには懐中電灯、ヘッドランプ等の照明具やキセノン放電管を用いたフラッシュ式蓄光器などが一般に知られ用いられており、糸用蓄光器としてもこれらが代用されていた。
【特許文献１】特開２００２−１２５５４８号公報
【発明の開示】
【発明が解決しようとする課題】
【０００４】
本発明は、蓄光性釣糸の励起に好適し、しかも実用的な蓄光器を提供するため、以下のような課題を解決するものである。
【０００５】
糸用蓄光器として、従来より用いられてきた機器を使うと、懐中電灯、ヘッドランプ等の照明具で励起した場合は、光を数分間当て続けなければならず、非常に長い時間がかかってしまう。フラッシュ式蓄光器を用いた場合は、リールの糸巻きに直接フラッシュ光を当てた場合、糸巻きの深層まで光が届かず上層の１０ｍ程度しか励起できない。また、釣り竿に前記フラッシュ式蓄光器を取付け、連続して送られる糸に光を照射するという方法も考えられるが、フラッシュの点滅発光のため、糸の送りにより強弱のムラができやすいため視認性が悪く、しかも発光し続けると非常に目に眩しい。また、釣り竿に取り付けた場合は、機器が大柄なため釣り竿が重くなり釣り人を疲れさせたり、釣り竿の感度を損なうという好ましくない影響が出てしまう。
【０００６】
そこで、蓄光性釣糸に好適した糸専用蓄光器を考えるが、以上のような問題を踏まえたうえで以下のような課題を解決する必要がある。
【０００７】
釣りをする際には、特に夜釣りにおいては暗くて視界が悪いため、通常の釣りの動作以外に作業が増えることは非常に煩わしく感じられる。そのため通常の釣りを行いながら自動的に糸の励起が行える仕組みであるのが最適である。すなわち、糸の繰り出し、巻き取りに応じて自動的に糸に光を照射する仕組みが最適と考えられる。この場合、糸の繰り出し、巻き取りで糸が高速で移動しても確実に励起できる効率の良い光源および光照射構造を用いる必要がある。また、釣糸が繰り出し、巻き取りされる際は糸の振れや撚れが発生することは容易に予想できるが、糸がいかなる状態にあっても均一かつ確実に励起できるのが望ましい。
【０００８】
また、前述したが、夜釣りに使用するため、機器を使用したことによる糸絡みがあってはならないし、糸の通過抵抗で仕掛けの飛距離を落とすこともあってはならない。また、周囲に眩しい光を漏らしてはならない。
【０００９】
また、主に海で使用する機器であるため、常に水しぶきに曝されるが、そのような状況にあっても簡単に壊れることがあってはならない。
【００１０】
さらに、使い勝手の面に言及すると、機器を釣り竿に取り付けるため、小型軽量であること、複数の竿で共用する場合に着脱が容易であること、竿の種類やそれに装着されている糸ガイドのサイズ、高さ、すなわち糸の通過位置に柔軟に対応できることが望ましい。
【００１１】
上記の課題を解決し、実用的な糸用蓄光器を提供することを本発明の目的とする。
【課題を解決するための手段】
【００１２】
上記目的を達成するために、蓄光剤を励起しやすい波長を含む単一の光源と、蓄光釣糸が貫通する中空部と、前記光源と前記中空部とを収納する発光部と、前記中空部の貫通空間の全周略均等に前記光源からの光を照射する反射鏡とを備えた構成とする。
【００１３】
本構成にすると、発光部の貫通空間を蓄光性釣糸が通過する際に光を照射し励起を行なうことができる。また、前記光源を蓄光剤が励起されやすい光波長成分を含んだ光源にすることで蓄光釣糸が前記貫通空間を通過する僅かな時間に蓄光剤を励起するべく励起効率を上げることができる。光源から貫通穴空間を介して設けた反射体は、貫通空間内に略均等に光を当て、さらには光源の光を何度も糸に照射することと等価となり、貫通空間内の糸の通過位置にかかわらず確実に励起を行なうことができる。
【００１４】
また、蓄光剤を励起しやすい波長を含む複数の光源と、蓄光釣糸が貫通する中空部と、前記光源と前記中空部とを収納する発光部とを備え、前記複数の光源は前記中空部の貫通空間の全周略均等に光が照射されるように配置される構成とすると、複数の光源の光を重ね合わせ、容易に励起効果を複数倍に向上させると共に、貫通空間内での糸の通過位置に関わらず光の当たらない死角を無くすことができる。
【００１５】
また、発光部内における光源を、紫外線領域の波長成分を多く含んだ発光ダイオード、キセノンランプ、ハロゲンランプ、蛍光管等とする。このように紫外線領域の波長成分を多く含んだ光源を用いると、前述したが蓄光剤の励起効率を向上させることができるし、その中でも主に紫外線領域の波長成分しか発しない光源を用いると人間の目に視認されにくい紫外線の光のため周囲に眩しい光を拡散することなく性能を発揮することが可能になる。さらに、発光ダイオード（以下、ＬＥＤ）に関して特筆すると、近年、紫外線を発するＬＥＤが盛んに研究されており実用化されつつあるが、本発明の構成において紫外線ＬＥＤを用いると光源の小型化と省電力化により機器の小型軽量化が図れるため、釣竿に取付ける機器として最も好ましい構成となる。
【００１６】
また、前記貫通空間に透明性を有するパイプ部材を配し、その両端面は前記発光部に形成された両端面と接合した構成とする。この構成は、光源を前記透明性を有するパイプ部材の外側に配し、光源と糸の直接接触を無くすものであり、使用中の器内を糸の摩擦や浸水から守り信頼性を高めることができる。
【００１７】
また、前記貫通空間に配したパイプ部材の形状は、光源による光照射部分を最も狭くし、両側の開口部（釣糸の入口、出口の両端）を広くする。この構成は、前記貫通空間内で糸に光を照射する部分を狭くすることで糸への光照射距離を短くし蓄光剤の励起効率を良くする一方、両端は広げ糸の出入りをスムースにすることができる。
【００１８】
また、前記発光部には前記中空部の両側の開口部（入口と出口）を結ぶ貫通軸に沿って釣糸の通る隙間を設け、前記隙間を開閉する機構を備えた構成とする。前記隙間は機器の
着脱の際に糸の出し入れを行なうためのものであり、糸を切らずに容易に着脱することが可能になる。開閉機構は使用中に前記隙間から不意に糸が抜けるのを防止することができる。
【００１９】
また、前記光源に電力を供給する電源は、発光部とは別の電源ケース内に収納され、コードを介して前記発行部内の光源に電力を供給する構成とする。釣竿に機器を取り付ける場合、糸を励起させる発光部は必ずリールより竿先方向前方に取り付けなければならない。具体的には一番目の糸ガイドのやや手前や、一番目の糸ガイドと二番目の糸ガイドの間に取り付けるが、この場合に電源として電気容量の大きい電池を使用した場合、電池自体の重量が大きいため釣竿の振り回しが重くなり釣りに影響を与えることがある。この構成にすることで重量の大きい電源を使用しても、電源部を竿の手元付近に位置させ、釣り人に重さを感じさせなくすることできる。
【００２０】
また一方、前記発光部内に電源を収納し、前記発光部内の光源に電力を供給する構成とすると、機器が簡素化され、釣り竿の着脱時間の短縮、すぐれた携帯性を備えることができる。発光部ケース内に収納する電池が大きい場合、釣竿の振り回しが重くなり釣りに影響を与えることは前述の通りであるが、本構成においては、小型軽量の電池を使用し、その電気容量により比較的短時間の釣り専用に使用する場合に非常に有用である。
【００２１】
さらに、今後の電池技術の発展により小型軽量でも大容量の電池が実用化されれば簡素で使い勝手が良くしかも長時間使用できる機器を提供することができる。
【００２２】
また、前記発光部には、釣竿の軸と前記貫通軸を平行に固定し、かつ前記釣竿の軸と貫通軸間の距離を調節可能な機構を備えた取付部を有した構成とする。本構成にすると、釣竿の軸と平行に通る釣糸と機器の糸貫通軸方向を必ず一定にし、さらに、磯竿、投げ竿、ルアー竿など竿の種類や番手で様々である糸ガイドの設置高さに合わせ自在に、機器の貫通軸の設置高さを変化させることができる。
【００２３】
以上のような構成とすることで、より実用的で信頼性の高い蓄光器を提供することができる。
【発明の効果】
【００２４】
本発明の糸用蓄光器では、釣竿に取り付けた発光部内を糸が通る際に蓄光する構成にし、釣りの動作すなわち仕掛けの投入と巻き取りの動作を行いながら蓄光を行なうため、わざわざ糸の蓄光のため普段と別の動作をする必要がなくなる。また、紫外線領域の波長を多く含んだ非常に効率の良い光源と反射体を用いた光照射で貫通空間内を略均等に照射し、糸の通過速度や糸の撚れ具合にかかわらず確実にしかも均一に糸を蓄光することができる。
【００２５】
このように、蓄光性糸の視認性が向上すると、釣り人は、魚の引きによる糸の走り、風による糸吹け具合、糸のからみ状況、仕掛けの投入方向、投入距離など様々な情報をあたかも昼間のように釣糸から得ることが可能になるため、従来の夜釣りより格段に釣りやすく、より釣果が期待できるものである。
【００２６】
また、発光部に光源を収納し、しかも紫外線領域の波長を発光する光源により、周囲に光を拡散することなく性能を発揮することができる。また、光源と糸の直接接触を無くし器内への浸水を防ぐ構造で機器の信頼性を高め、水しぶきや雨に曝されたとしても壊れることがなく釣り場、天候を選ばず使用することが可能になる。また、糸の出入口の両端を広くした構造をとり、蓄光励起効果を損なうことなく糸の通過抵抗を最小限に抑えることで、仕掛けの飛距離は機器を装着する前と殆ど変わらないし、釣り中に糸がらみが発生し
釣り人に不快感を与えることは無い。また、発光部に貫通穴に沿って細い隙間を設けると、隙間を設けることにより貫通空間に糸を通す作業が容易になり、竿から機器を取り外す場合はいちいち糸を切らなくても作業が可能になり、複数の釣り竿で共用する場合も着脱作業の煩わしさを大幅に軽減することができる。さらに前記隙間を開閉する機構を備えているため、不意の糸脱落をなくすことができる。また、電源部を発光部と別体にすることで、釣り人は機器装着の重さを感じさせることがない。また、電源部を発光部内に収納した場合においては機器が簡素化され、釣り竿の着脱時間を短縮でき、すぐれた携帯性を備えるなど使い勝手が良く、いずれも釣り人に機器装着による不快感を与えることなく釣りに専念させることができる。
【００２７】
また、機器を釣り竿の軸と平行に固定し、かつ、釣竿の糸ガイドの高さに自在に調整可能な取付部を備えることで、釣り人の持つ様々な種類の竿に柔軟に対応し取り付けでき、複数の竿を共用して安定した蓄光効果と糸の通過性能を得ることが可能になる。
【００２８】
以上のように、本発明は前記課題を全て解決するもので、このような蓄光器を使用することで、釣り人は蓄光釣糸の性能を余すことなく利用し、より快適な夜釣りを楽しむことができる。
【発明を実施するための最良の形態】
【００２９】
以下、本発明の実施の形態を、図面を参照しながら説明する。
【００３０】
（実施の形態１）
図１は、本体の使用状態を示す全体図で、そのうち本体へ蓄光器を取り付けた部分を拡大して図２に示す。本実施例は、一般的な釣り竿１とスピニングリール２を使用した例で、リール２に巻かれた蓄光性釣糸７が、釣竿１に設置された糸ガイド６を介して竿先へ送られている。中空部からなり貫通空間を有する発光部３は釣竿の一番目の糸ガイド６ａと二番目の糸ガイド６ｂの間に、発光部３に形成された取付部１７を釣竿１のシャフトに沿わせ結束バンド８により締め付けることで固定され、糸ガイド６と同様にその貫通空間に蓄光性釣糸７を通している。このとき、前記発光部３は、釣竿１の振り回し性や持ち重り感を考慮するとできるだけ釣竿１を持つ手元近くに取り付けることが好ましいが、本実施形態では仕掛けを遠投する際に糸７が高速で繰り出されることを考慮し、その糸７を確実に前方に導くよう専用に設計された一番目の糸ガイド６ａを介し、その前方に発光部３を取り付けている。遠投の必要が無いなど、さほど糸からみを気にする必要のない釣種であればリール２と一番目ガイド６ａの間に取り付けても特に問題は無いため、釣種や好みに応じて付け替えれば良い。
【００３１】
また、その発光部３に電力を供給する電源部５を竿尻付近に結束バンド１０により取り付ける。前記発光部３と電源部６は、電源コード４を介して接続され、電源コード４は釣竿１の振り回しなどでばらけないよう、釣竿１のシャフト部分に結束バンド９により数箇所締め付け固定する。前記電源コード４は、長さ８０ｃｍ程度とし電源部と接続するが、第一ガイド６ａと第２ガイド６ｂの間に取り付ける仕様としたもので、取りつけ位置によってはコードの長さはこの限りではない。本実施形態では、夜釣りでの必要使用時間を考慮し容量の大きい電池を使用するため、釣り人に重さを感じさせないため竿尻付近に電源５を配置する構成としている。なお、図面での説明は省略するが、釣竿１を本構成で使用する外ガイド竿ではなく中通し竿としても、リールと竿の糸入口ガイドの間に本器発光部３を取り付けて糸を貫通させれば同様に使用可能であることは言うまでもない。
【００３２】
次に、図３、４に実施の形態１における前記発光部３の構造を示す。図３は、発光部３の外観形状を正面図、側面図の二面で示し、図４は、発光部３の断面形状を正面図、側面図の二面で示す。軽量な樹脂材料からなり、内側にテーパ−状に凹んだ丸穴形状を備えた
円筒形のケース１１内に、その中心軸を貫通する透明性を有する樹脂材料の貫通パイプ１２を設け円筒形ケース１１の丸穴の端部と水密性を持って接合している。この部分を、水密性を持って接合すると、機器内へ浸水する隙間が無くなり、濡れた釣糸７が通過しても機器が壊れることはない。貫通パイプ１２の外面には、紫外線発光ダイオード１４（以下、ＬＥＤ）を３個、光を貫通パイプ１２の中心軸方向に向けて照射するようにＬＥＤ保持部品１３にて保持し、貫通パイプ１２の円周上に等間隔に保持し設置してなるものである。ＬＥＤ１４にはそれぞれ配線コード１５が接続され、ケース１２の端面と密着し水密性を持ったゴムブッシュ１６を介して配線され電力を供給する。
【００３３】
前記ＬＥＤ１４は、発光波長ピーク値が３６０〜３８０ｎｍの紫外線ＬＥＤが好ましい。例えば、蓄光性釣糸に含有される蓄光剤として、特許文献１にも記載のある、式Ｓｒ4Ａｌ14Ｏ25で表されるアルミン酸ストロンチウムの励起スペクトル特性の一例を図７に示す。図７は、励起波長による発光光度の強さを表しており、３６０〜３８０ｎｍの波長で最も発光光度が高い、すなわち、３６０〜３８０ｎｍの波長の光にて最も効率良く励起し強い光を発することができる。ＬＥＤを使用する場合、その必要な発光波長帯を選択して用いることが可能なため、図７に示す材料以外の異なった励起スペクトル特性を持つ材料においても、容易に対応が可能である。
【００３４】
本実施形態のように、ＬＥＤ１４を使用する場合、そのＬＥＤ１４が持つ指向性のため貫通パイプ１２内で光の殆ど当たらない死角が出来やすいが、本実施例ではＬＥＤ光源１４を３個使用し、それぞれの光軸をすべて中心方向に向けることでお互いの死角部分を照射し合い、貫通パイプ１２内の糸の通る位置にかかわらず光ムラを少なくしている。
【００３５】
また、貫通パイプ１２の空間を介した光源正面には、貫通パイプ１２の外側に反射体１８を設け通過した光を繰り返し糸に照射することができる。もちろん、貫通パイプ１２内側に反射体１８を設けた場合でも同じ効果が得られるが、本実施例では反射体１８の耐摩擦性や耐水性を配慮し外側に配置した。なお、本構成では光源に指向性の強いＬＥＤを使用しているが、管球光源等、光が広範囲に発せられる光源に関しては光源側面に別の反射板を設け光を集めた方が良い。
【００３６】
また、前記円筒形ケース１１には、釣竿１に取り付けるべく取付部１７が２つ形成されている。取付部１７は、釣竿１のシャフト形状に沿う曲面形状を一辺に持つＬ字形の竿保持片１９と、円筒形ケース１１を保持しながらＬ字片を伸縮可能に挿入できる溝を備えたケース保持片２０とからなる。竿保持片１９はその一側面に波型形状を形成し、ケース保持片２０内に設置されたバネ性を持った金属板２１により前記波型形状部の一部を押さえる構造であり、竿保持片は前記波型形状の設けられた間隔にて伸縮を行なうことができる。
【００３７】
また、円筒形ケース１１、貫通パイプ１２およびＬＥＤ保持部品１３は、釣糸７が通るよう細い隙間２２を空けた形状とし、貫通空間への糸の着脱を容易にしている。円筒形ケース１１の外周面には前記隙間２２と同方向に細いスリット部２４を持つ糸脱落防止カバー２３を被せている。カバー２３は、円筒形ケース１１の外周上を摺動させることができ、スリット部２４の位置を隙間２２に合わせ糸の着脱を行い、スリット部２４の位置を隙間２２からずらすことで糸の脱落防止とする。以上のように、本発明を実施することができる。
【００３８】
（実施の形態２）
図５、６は実施の形態２における発光部３の構造を示すものである。実施の形態１とは違い、発光部３の光源１４に電力を供給する電源部を発光部３内に収納した場合の実施形態を図面を参照しながら説明する。図５、６は、実施の形態２における発光部３の構造を
示したもので、図５は、発光部３の外観形状を正面図、側面図の二面で示し、図６は、発光部３の断面形状を正面図、側面図の二面で示す。全体構造は概ね実施の形態１と同様であるが、実施の形態２では、円筒形ケース１１内に電池収納部を設けその中に電池２５を収納し、取り外し可能な電池蓋２６を設置している。電池２５は、ＬＥＤ１４を点灯するため３．６〜４Ｖ以上の電圧を発生する電源が望ましい。本実施形態では、１セル当たり３Ｖのコイン型リチウム電池を２枚重ね合わせ直列接続とし、約６Ｖの電源としている。円筒形ケース１１の電池収納部内には、電池２５と接触するプラス接触片２７とマイナス接触片２８を配し、配線コード１５によりＬＥＤ１４に配線される。また、光源は１個とし、貫通パイプ１２の外側に光源の光入射部を除いたほぼ全周に反射体１８を設けた構造とし、貫通パイプ１２内面に略均等に光が照射される。本実施形態では、ＬＥＤ１４を１個のみを使用したが、電池の容量つまり電池寿命の許す限り複数個の光源を使用しても良い。
【００３９】
なお、図面での説明を省略するが、本構成では、電池２５を円筒形ケース１１に収納しているので、発光部３とは別の電源部６や電源コード４、ゴムブッシュ１６は不要となり、発光部３のみを取付部１７で釣竿に取り付ける構成となる。以上のように、本発明を実施することができる。
【産業上の利用可能性】
【００４０】
本発明の蓄光方式を利用すると、蓄光性釣糸の確実かつ一定した励起が可能になるため、釣り具としての利用だけにとどまらず、各種蓄光性釣糸の残光輝度、視認性などの性能評価における標準試験機器として、同様の蓄光釣糸や蓄光繊維の研究、開発等にも大いに利用価値があると考えられる。
【図面の簡単な説明】
【００４１】
【図１】本発明の糸用蓄光器を釣り竿に取り付けた全体図
【図２】図１の取り付け部拡大図
【図３】実施の形態１における発光部の外観形状を表した正面図及び側面図
【図４】実施の形態１における発光部の断面形状を表した正面図及び側面図
【図５】実施の形態２における発光部の外観形状を表した正面図及び側面図
【図６】実施の形態２における発光部の断面形状を表した正面図及び側面図
【図７】アルミン酸ストロンチウムの励起スペクトル特性図
【符号の説明】
【００４２】
１  釣竿
２  リール
３  発光部
４  電源コード
５  電源部
６  糸ガイド
７  蓄光性釣糸
１１  円筒形ケース
１２  貫通パイプ
１４  紫外線発光ダイオード
１７  取付部
１８  反射体
２２  隙間
２３  糸脱落防止カバー
２５  電池
【図１】
2006094820.tif 000003
【図２】
2006094820.tif 000004
【図３】
2006094820.tif 000005
【図４】
2006094820.tif 000006
【図５】
2006094820.tif 000007
【図６】
2006094820.tif 000008
【図７】
2006094820.tif 000009